(57)【要約】      （修正有）【課題】延長ケーブル付きソケットに関し、特に、高熱による短絡を防止することができる温度感応制御警報器付きソケットを提供する。【解決手段】ケース１０と、一端にはプラグ２１が設けられており、他端が前記ケースに挿入されているケーブル２０と、前記ケースの表面に分布されており、その下には前記ケーブルと電気的に連接されており導電性を有する弾性片がそれぞれ設けられている複数の挿入穴３０と、前記各挿入穴の中心にそれぞれ設けられており、前記挿入穴の温度を検知する複数の温度センサー４０と、前記各挿入穴の近傍にそれぞれ設けられている複数の表示ランプ５０と、前記ケース内に設けられている警報器６０と、前記ケース内に設けられており、マイクロプロセッサーを有する制御回路７０と、を含む。【選択図】図１
0003147339.tif 000002
【実用新案登録請求の範囲】
【請求項１】
ケース１０と、
一端にはプラグ２１が設けられており、他端が前記ケースに挿入されているケーブル２０と、
前記ケースの表面に分布されており、その下には前記ケーブルと電気的に連接されており導電性を有する弾性片がそれぞれ設けられている複数の挿入穴３０と、
前記各挿入穴の中心にそれぞれ設けられており、前記挿入穴の温度を検知する複数の温度センサー４０と、
前記各挿入穴の近傍にそれぞれ設けられている複数の表示ランプ５０と、
前記ケース内に設けられている警報器６０と、
前記ケース内に設けられており、マイクロプロセッサー７１を有する制御回路７０と、を含み、
前記制御回路のマイクロプロセッサーは、各挿入穴にそれぞれ設けられている温度センサーからの信号を接収して、設定された過熱温度値と比較し、前記挿入穴の温度が過熱温度値を超える場合には、当該挿入穴の近傍に設けられている表示ランプ５０が点灯され、前記警報器が警報声を発することを特徴とする
温度感応制御警報器付きソケット。
【請求項２】
前記ケーブルにはリレー８０が介装されており、何れかの一つ又は複数の挿入穴の温度が過熱温度値を超える場合には、前記マイクロプロセッサーにより前記リレーの電源が切れられることを特徴とする、請求項１に記載の温度感応制御警報器付きソケット。
【請求項３】
ケース１０と、
一端にはプラグ２１が設けられており、他端が前記ケースに挿入されているケーブル２０と、
前記ケースの表面に分布されており、その下には前記ケーブルと電気的に連接されており導電性を有する弾性片がそれぞれ設けられている複数の挿入穴３０と、
前記各挿入穴の中心にそれぞれ設けられており、前記挿入穴の温度を検知する複数の温度センサー４０と、
温度及び前記各挿入穴のシリーズ番号を表示する表示パネル５１と、
前記ケース内に設けられており、マイクロプロセッサー７１を有する制御回路７０と、を含み、
前記制御回路のマイクロプロセッサーは、各挿入穴にそれぞれ設けられている温度センサー４０からの信号を接収して、設定された過熱温度値と比較し、全ての前記挿入穴の温度が過熱温度値を超えない場合には、前記表示パネルが各挿入穴のシリーズ番号及び温度をサイクルに表示し、なお、何れかの前記挿入穴の温度が過熱温度値を超える場合には、前記表示パネルは、温度が過熱温度値を超えた挿入穴だけのシリーズ番号５１２及び温度を表示し、そして前記警報器が警報声を発することを特徴とする
温度感応制御警報器付きソケット。
【請求項４】
前記ケーブルにはリレーが介装されており、何れかの一つ又は複数の挿入穴の温度が過熱温度値を超える場合には、前記マイクロプロセッサーにより前記リレーの電源が切れられることを特徴とする、請求項３に記載の温度感応制御警報器付きソケット。
【考案の詳細な説明】
【技術分野】
【０００１】
本考案は、延長ケーブル付きソケットに関し、特に、高熱による短絡を防止することができる温度感応制御警報器付きソケットに関するものである。
【背景技術】
【０００２】
従来、延長ケーブル付きソケットは、ケースには複数の挿入穴が開設されており、各挿入穴内には導電性を有する弾性片が設けられており、これらの弾性片は挿入されるプラグの金属片と安定に電気的に連接することができる。なお、前記弾性片はケーブルの前記ケースに挿入される一端と直列接続しており、前記ケーブルの他端にはプラグが設けられており、前記プラグを市電のソケットに挿入したと、前記弾性片に電流が流される。
【０００３】
しかしながら、従来の延長ケーブル付きソケットにプラグを挿入したと、ケーブルが湾折され、又はプラグと弾性片との接触が不良である場合には、挿入穴が発熱してケーブルが短絡して発火する虞があった。
【考案の開示】
【考案が解決しようとする課題】
【０００４】
本考案の主な目的は、高熱による短絡を防止することができる温度感応制御警報器付きソケットを提供することにある。
【課題を解決するための手段】
【０００５】
本考案の請求項１に記載の温度感応制御警報器付きソケットによると、ケースと、
一端にはプラグが設けられており、他端が前記ケースに挿入されているケーブルと、
前記ケースの表面に分布されており、その下には前記ケーブルと電気的に連接されており導電性を有する弾性片がそれぞれ設けられている複数の挿入穴と、
前記各挿入穴の中心にそれぞれ設けられており、前記挿入穴の温度を検知する複数の温度センサーと、
前記各挿入穴の近傍にそれぞれ設けられている複数の表示ランプと、
前記ケース内に設けられている警報器と、
前記ケース内に設けられており、マイクロプロセッサーを有する制御回路と、を含み、
前記制御回路のマイクロプロセッサーは、各挿入穴にそれぞれ設けられている温度センサーからの信号を接収して、設定された過熱温度値と比較し、前記挿入穴の温度が過熱温度値を超える場合には、当該挿入穴の近傍に設けられている表示ランプが点灯され、前記警報器が警報声を発することを特徴とする温度感応制御警報器付きソケットである。
【０００６】
本考案の請求項２に記載の温度感応制御警報器付きソケットによると、前記ケーブルにはリレーが介装されており、何れかの一つ又は複数の挿入穴の温度が過熱温度値を超える場合には、前記マイクロプロセッサーにより前記リレーの電源が切れられる。
【０００７】
本考案の請求項３に記載の温度感応制御警報器付きソケットによると、ケースと、
一端にはプラグが設けられており、他端が前記ケースに挿入されているケーブルと、
前記ケースの表面に分布されており、その下には前記ケーブルと電気的に連接されており導電性を有する弾性片がそれぞれ設けられている複数の挿入穴と、
前記各挿入穴の中心にそれぞれ設けられており、前記挿入穴の温度を検知する複数の温度センサーと、
温度及び前記各挿入穴のシリーズ番号を表示する表示パネルと、
前記ケース内に設けられており、マイクロプロセッサーを有する制御回路と、を含み、
前記制御回路のマイクロプロセッサーは、各挿入穴にそれぞれ設けられている温度センサーからの信号を接収して、設定された過熱温度値と比較し、全ての前記挿入穴の温度が過熱温度値を超えない場合には、前記表示パネルが各挿入穴のシリーズ番号及び温度をサイクルに表示し、なお、何れかの前記挿入穴の温度が過熱温度値を超える場合には、前記表示パネルは、温度が過熱温度値を超えた挿入穴だけのシリーズ番号及び温度を表示し、そして前記警報器が警報声を発することを特徴とする温度感応制御警報器付きソケットである。
【０００８】
本考案の請求項４に記載の温度感応制御警報器付きソケットによると、前記ケーブルにはリレーが介装されており、何れかの一つ又は複数の挿入穴の温度が過熱温度値を超える場合には、前記マイクロプロセッサーにより前記リレーの電源が切れられる。
【０００９】
（考案の効果）
本考案の温度感応制御警報器付きソケットによれば、高熱による短絡を防止することができるという効果を有する。
【考案を実施するための最良の形態】
【００１０】
以下、本考案の実施の形態を図面に基づいて説明する。
まず、図１及び図２を参照する。本考案に係る温度感応制御警報器付きソケットは、ケース１０と、ケーブル２０と、複数の挿入穴３０と、複数の温度センサー４０と、複数の表示ランプ５０と、警報器６０と、制御回路７０と、から構成される。
【００１１】
前記ケース１０はケーブル２０を有し、前記ケーブル２０は、一端にはプラグ２１が設けられており、他端が前記ケース１０に挿入されている。前記複数の挿入穴３０は、前記ケース１０の表面に分布されており、その下には前記ケーブル２０と電気的に連接されており導電性を有する弾性片（図示せず）がそれぞれ設けられている。前記複数の温度センサー４０は、前記各挿入穴３０の中心にそれぞれ設けられており、前記挿入穴３０の温度を検知する。前記複数の表示ランプ５０は、前記各挿入穴３０の近傍にそれぞれ設けられている。前記警報器６０と前記制御回路７０とは前記ケース内に設けられており、前記制御回路７０はマイクロプロセッサー７１を有する。
【００１２】
また、図２及び図３を参照する。前記制御回路７０は、ケーブル２０から取った交流電力をパワーサプライヤー７２によって５ボルトの直流電力に変換してマイクロプロセッサー７１に供給し、なお、前記マイクロプロセッサー７１にはバイブレータ７３が電気的に連接されている。各温度センサー４０は、それぞれ各挿入穴３０の温度を検出して、検出した交流信号をコンバータ７４によって直流信号に変換してマイクロプロセッサー７１に伝送して、マイクロプロセッサー７１で前記直流信号を設定された過熱温度値（例えば６０℃）と比較し、前記挿入穴３０の温度が過熱温度値を超える場合には、当該挿入穴３０の近傍に設けられている表示ランプ５０が点灯され、前記警報器６０が警報声を発する。
【００１３】
また、図３を参照する。全ての挿入穴３０の温度が過熱温度値（例えば６０℃）よりも低い５５℃に降下したと、前記表示ランプ５０と前記警報器６０とがオフされる。
【００１４】
また、図４及び図５を参照する。この実施例は図２及び図３に示した実施例とほぼ同じであるが、ケーブル２０にはリレー８０が介装されており、何れかの一つ又は複数の挿入穴３０の温度が過熱温度値を超える場合には、前記マイクロプロセッサー７１により前記リレー８０の電源が切れられる。
【００１５】
また、図６及び図７を参照する。この実施例は図１及び図２に示した実施例とほぼ同じであるが、表示ランプ５０の代りに表示パネル５１が採用され、前記表示パネル５１により、前記各挿入穴３０の温度とシリーズ番号５１２とが表示される。
【００１６】
前記制御回路７０のマイクロプロセッサー７１は、各挿入穴３０にそれぞれ設けられている温度センサー４０からの信号を接収して、設定された過熱温度値と比較し、全ての前記挿入穴３０の温度が過熱温度値を超えない場合には、前記表示パネル５１が各挿入穴３０のシリーズ番号及び温度をサイクルに表示し、なお、何れかの一つ又は複数の前記挿入穴３０の温度が過熱温度値を超える場合には、前記表示パネル５１は、温度が過熱温度値を超えた挿入穴３０だけのシリーズ番号及び温度を表示し、そして前記警報器６０が警報声を発する。
【００１７】
また、図８を参照する。この実施例は図７に示した実施例とほぼ同じであるが、ケーブル２０にはリレー８０が介装されており、何れかの一つ又は複数の挿入穴３０の温度が過熱温度値を超える場合には、前記マイクロプロセッサー７１により前記リレー８０の電源が切れられる。
【図面の簡単な説明】
【００１８】
【図１】本考案の実施例１に係る温度感応制御警報器付きソケットの外観を示す模式図である。
【図２】本考案の実施例１に係る温度感応制御警報器付きソケットの制御を示すブロック図である。
【図３】図２のフローチャートである。
【図４】本考案の実施例１に係る温度感応制御警報器付きソケットの制御を示す別のブロック図である。
【図５】図４のフローチャートである。
【図６】本考案の実施例２に係る温度感応制御警報器付きソケットの外観を示す模式図である。
【図７】本考案の実施例２に係る温度感応制御警報器付きソケットの制御を示すブロック図である。
【図８】本考案の実施例２に係る温度感応制御警報器付きソケットの制御を示す別のブロック図である。
【符号の説明】
【００１９】
１０：ケース、
２０：ケーブル、
２１：プラグ、
２３：発振器、
３０：挿入穴、
４０：温度センサー、
５０：表示ランプ、
５１：表示パネル、
６０：警報器、
７０：制御回路、
７１：マイクロプロセッサー、
７２：パワーサプライヤー（AC100VをDC5Vへ）、
７３：バイブレーター、
７４：コンバータ（ACをDCへのコンバーター）、
７５：ドライバ（ブザードライバー）、
７６：パネルドライバ、
８０：リレー、
５１１：表示温度、
５１２：シリーズ番号
【図１】
0003147339.tif 000003
【図２】
0003147339.tif 000004
【図３】
0003147339.tif 000005
【図４】
0003147339.tif 000006
【図５】
0003147339.tif 000007
【図６】
0003147339.tif 000008
【図７】
0003147339.tif 000009
【図８】
0003147339.tif 000010